(57)【要約】【課題】平面視における調理容器の外径が、複数の五徳爪の先端部により囲繞された領域の外径より小さい場合であっても、調理容器が傾いてしまうことが抑制され、調理容器が安定して保持されるようにする。【解決手段】トッププレートに配設されたコンロバーナを備え、コンロバーナの周囲のトッププレート上に配設される五徳を備えたガスコンロであって、五徳が五徳爪と五徳爪の基端部が止着される五徳枠とから構成されており、五徳爪が、上方に延びる立ち上がり部と、立ち上がり部の上端から、平面視におけるコンロバーナの中心に向けて水平方向に延びる横引き部とを備える形態に構成されたガスコンロと共に用いられる補助五徳において、当該補助五徳が、１つの直線上に配設されない３本以上の横引き部を含む横引き部に被嵌する位置決め部を備え、平面視におけるコンロバーナの中心に向けて配設される、横引き部の先端部より中心側に位置する補助載置部を備える。【選択図】図５
2020122618.tif 000002
【特許請求の範囲】
【請求項１】
トッププレートに配設されたコンロバーナを備え、前記コンロバーナの周囲の前記トッププレート上に配設される五徳を備えたガスコンロであって、前記五徳が五徳爪と五徳爪の基端部が止着される五徳枠とから構成されており、前記五徳爪が、上方に延びる立ち上がり部と、立ち上がり部の上端から、平面視におけるコンロバーナの中心に向けて水平方向に延びる横引き部とを備える形態に構成されたガスコンロと共に用いられる補助五徳において、
当該補助五徳が、１つの直線上に配設されない３本以上の前記横引き部を含む前記横引き部に被嵌する位置決め部を備え、
前記五徳における平面視におけるコンロバーナの前記中心に向けて配設される前記横引き部の先端部より前記中心側に位置する補助載置部を備えることを特徴とするガスコンロと共に用いられる補助五徳。
【請求項２】
調理容器の底部に当接して、前記調理容器の底部の温度を検出する温度検出器が、平面視におけるコンロバーナの前記中心に配設されたガスコンロと共に用いられる補助五徳において、平面視における前記補助載置部の中心に、前記温度検出器が挿通可能な挿通孔を備えることを特徴とする請求項１に記載のガスコンロと共に用いられる補助五徳。
【請求項３】
前記位置決め部が、４本以上の前記横引き部に被嵌するように構成されると共に、前記横引き部の側方に位置し、前記横引き部との水平方向の相対的な移動を規制する一対の規制壁を備え、
前記４本以上の前記横引き部に被嵌する前記位置決め部のうちの所定の３本の前記横引き部に被嵌する前記位置決め部の前記一対の規制壁の離間距離が、前記所定の３本の前記横引き部に被嵌する前記位置決め部を除く前記位置決め部の前記一対の規制壁の離間距離がより狭く構成されることを特徴とする請求項１または請求項２に記載のガスコンロと共に用いられる補助五徳。
【発明の詳細な説明】
【技術分野】
【０００１】
本発明は、五徳を具備するガスコンロと共に用いられる補助五徳に関する。
【背景技術】
【０００２】
円環状のコンロバーナを備え、このコンロバーナの周囲に配設される五徳を備えたガスコンロが知られている。（例えば、特許文献１）
【０００３】
特許文献１に記載のガスコンロでは、五徳が、五徳爪と五徳爪の基端部が止着される五徳枠とから構成されている。
【０００４】
そして、五徳爪は、上方に延びる立ち上がり部と、立ち上がり部の上端から、平面視におけるコンロバーナの中心に向けて水平方向に延びる横引き部とを備える形態に構成されている。
【０００５】
ガスコンロにて加熱される調理容器は、複数の五徳爪の横引き部に亘って、横引き部上に載置され、調理容器が、五徳によって安定して支持される。
【０００６】
なお、特許文献１の図１５には、平面視における調理容器の外径が、複数の五徳爪の先端部により囲繞された領域の外径より小さく、調理容器が、五徳上ではなく、五徳爪５１の先端により囲繞された領域に嵌り込んだ状態が例示されている。
【０００７】
この場合、平面視における調理容器の外径が、複数の五徳爪の先端部により囲繞された領域の外径より小さく、調理容器が、五徳上ではなく、五徳爪の先端により囲繞された領域に嵌り込んだ状態で、調理容器が安定して保持されるのであれば、特に問題は生じないと考えられる。
【０００８】
しかしながら、調理容器の一部が、五徳爪の横引き部の先端状に位置した場合などには、調理容器が傾いてしまい、調理容器が安定して保持されないという不都合が生じることになり、改善が望まれる。
【先行技術文献】
【特許文献】
【０００９】
【特許文献１】特開２０１７−１８０８６８号公報
【発明の概要】
【発明が解決しようとする課題】
【００１０】
本発明は、上記課題を解決するために成されたものであり、その目的は、平面視における調理容器の外径が、複数の五徳爪の先端部により囲繞された領域の外径より小さい場合であっても、調理容器が傾いてしまうことが抑制され、調理容器が安定して保持されるように構成された、五徳を具備するガスコンロと共に用いられる補助五徳を提供する点にある。
【課題を解決するための手段】
【００１１】
上記課題を解決するために、本願発明によるガスコンロと共に用いられる補助五徳は、トッププレートに配設されたコンロバーナを備え、前記コンロバーナの周囲の前記トッププレート上に配設される五徳を備えたガスコンロであって、前記五徳が五徳爪と五徳爪の基端部が止着される五徳枠とから構成されており、前記五徳爪が、上方に延びる立ち上がり部と、立ち上がり部の上端から、平面視におけるコンロバーナの中心に向けて水平方向に延びる横引き部とを備える形態に構成されたガスコンロと共に用いられる補助五徳において、当該補助五徳が、１つの直線上に配設されない３本以上の前記横引き部を含む前記横引き部に被嵌する位置決め部を備え、前記五徳における平面視におけるコンロバーナの前記中心に向けて配設される前記横引き部の先端部により前記中心側に位置する補助載置部を備える点を特徴とする。
【００１２】
また、調理容器の底部に当接して、前記調理容器の底部の温度を検出する温度検出器が、前記補助載置部における平面視におけるコンロバーナの前記中心に配設されたガスコンロと共に用いられる補助五徳において、平面視における前記補助載置部の中心に、前記温度検出器が挿通可能な挿通孔を備えることが好ましい。
【００１３】
本願発明によるガスコンロと共に用いられる補助五徳は、上記のように構成されているので、平面視における調理容器の外径が、複数の五徳爪の先端部により囲繞された領域の外径より小さい場合であっても、調理容器が傾いてしまうことが抑制され、調理容器が安定して保持されるように構成された、五徳を具備するガスコンロと共に用いられる補助五徳とすることができる。
【００１４】
また、調理容器の底部に当接して、調理容器の底部の温度を検出する温度検出器が、補助載置部における平面視におけるコンロバーナの中心に配設されたガスコンロと共に用いられる補助五徳において、平面視における前記補助載置部の中心に、温度検出器が挿通可能な挿通孔を備えるように構成した場合、調理容器の底部の温度を検出する温度検出器が補助載置部と当接してしまうことが抑制され、温度検出器による調理容器の底部の温度の検出が適正に行うことが可能となる。
【００１５】
また、前記位置決め部が、４本以上の前記横引き部に被嵌するように構成されると共に、前記横引き部の側方に位置し、前記横引き部との水平方向の相対的な移動を規制する一対の規制壁を備え、前記４本以上の前記横引き部に被嵌する前記位置決め部のうちの所定の３本の前記横引き部に被嵌する前記位置決め部の前記一対の規制壁の離間距離が、前記所定の３本の前記横引き部に被嵌する前記位置決め部を除く前記位置決め部の前記一対の規制壁の離間距離がより狭く構成されることが好ましい。
【００１６】
このように構成した場合、所定の３本の横引き部に被嵌する位置決め部の一対の規制壁によって３本の横引き部を挟み込んで、五徳と補助五徳とが位置決めされることになり、４本以上の横引き部に被嵌する位置決め部の一対の規制壁によって４本以上の横引き部を挟み込んで、水平方向に位置決めされる場合と比較して、五徳と補助五徳との位置決めを容易に行うことが可能となる。
【発明の効果】
【００１７】
本発明によって、平面視における調理容器の外径が、複数の五徳爪の先端部により囲繞された領域の外径より小さい場合であっても、調理容器が傾いてしまうことが抑制され、調理容器が安定して保持されるように構成された、五徳を具備するガスコンロと共に用いられる補助五徳とすることができる。
【００１８】
また、調理容器の底部に当接して、調理容器の底部の温度を検出する温度検出器が、平面視におけるコンロバーナの中心に配設されたガスコンロと共に用いられる補助五徳において、調理容器の底部の温度を検出する温度検出器が補助載置部と当接してしまうことが抑制され、温度検出器による調理容器の底部の温度の検出が適正に行うことが可能となる。
【００１９】
また、五徳と補助五徳との位置決めを容易に行うことが可能となる。
【図面の簡単な説明】
【００２０】
【図１】本発明の補助五徳が用いられるガスコンロのトッププレートから上の部分を示し、（ａ）は斜め上方より見た斜視図であり、（ｂ）は平面図である。
【図２】本発明の補助五徳が用いられるガスコンロに具備する五徳を示し、（ａ）斜め上方より見た斜視図、（ｂ）平面図である。
【図３】本発明の補助五徳の底面図である。
【図４】本発明の補助五徳の側断面図である。
【図５】本発明の補助五徳が用いられるガスコンロに具備する五徳上に、本発明の補助五徳を載置した状態を示す平面図である。
【発明を実施するための形態】
【００２１】
以下、本発明を添付図面に示す実施形態に基づいて説明する。
【００２２】
本発明による補助五徳０５が用いられるガスコンロは、コンロバーナ１１を備え、コンロバーナ１１は、トッププレート０１に配設されている。（図１参照。）
【００２３】
コンロバーナ１１の周囲の前記トッププレート０１上には五徳０４が載置される。（図１参照。）
【００２４】
なお、五徳０４は、五徳爪４２と五徳爪４２の基端部４２ｋが止着される五徳枠４１とから構成されている。（図２参照。）
【００２５】
また、五徳爪４２は、上方に延びる立ち上がり部４２ｔと、立ち上がり部４２ｔの上端から、平面視におけるコンロバーナ１１の中心に向けて水平方向に延びる横引き部４２ｙとを備える形態に構成されている。（図２参照。）
【００２６】
そして、補助五徳０５は、１つの直線上に配設されない３本以上の横引き部４２ｙを含む横引き部４２ｙに被嵌する位置決め部５１を備えている。（図３、図４、図５参照。）
なお、本実施形態では、６本の横引き部４２ｙに被嵌する位置決め部５１を備えている。
【００２７】
なお、ガスコンロにおいては一般的に五徳爪４２にはコンロバーナ１１に形成される火炎による加熱が軽減されるように、コンロバーナ１１に設けられる炎孔の位置や炎孔からの燃料ガスの噴出量が設定されている場合が多く、位置決め部５１は、コンロバーナ１１に形成される火炎による加熱が軽減されることになる。
【００２８】
また、五徳０４における平面視におけるコンロバーナ１１の平面視中心に向けて配設される前記横引き部の先端部よりコンロバーナ１１の平面視中心側に位置する補助載置部０６を備える。（図３、図４、図６参照。）
【００２９】
補助五徳０５はこのように構成されており、平面視における調理容器の外径が、複数の五徳爪の先端部により囲繞された領域の外径より小さい場合であっても、調理容器が傾いてしまうことが抑制され、調理容器が安定して保持されるようにすることが可能となる。
【００３０】
なお、本実施形態においては、調理容器の底部に当接して、前記調理容器の底部の温度を検出する温度検出器が、平面視におけるコンロバーナ１１の中心に配設されたガスコンロと共に用いられる場合を想定して、補助五徳０５において、平面視における補助載置部０６の中心に、上記温度検出器が挿通可能な挿通孔６１を備える。本実施形態では、挿通孔６１として直径３０ｍｍの孔を設けてある。
【００３１】
本実施形態においては、このように構成されているので、調理容器の底部に当接して、調理容器の底部の温度を検出する温度検出器が、平面視におけるコンロバーナの中心に配設されたガスコンロと共に用いられる場合に、６か所の位置決め部５１が、６本の横引き部４２ｙに被嵌することで、温度検出器に対して挿通孔６１が水平方向にずれてしまうことが確実に防止されるため、調理容器の底部の温度を検出する温度検出器が補助載置部と当接してしまうことが抑制され、温度検出器による調理容器の底部の温度の検出が適正に行うことが可能となる。
【００３２】
なお、本実施形態においては、位置決め部５１が、４本以上の横引き部４２ｙに被嵌するように構成されており、横引き部４２ｙの側方に位置し、横引き部４２ｙとの水平方向の相対的な移動を規制する一対の規制壁５１ｓを備え、４本以上の横引き部４２ｙに被嵌する位置決め部５１のうちの所定の３本の横引き部に被嵌する位置決め部５１の一対の規制壁５１ｓの離間距離Ｌ１が、所定の３本の横引き部４２ｙに被嵌する位置決め部５１を除く位置決め部５１の一対の規制壁５１ｓの離間距離Ｌ２がより狭く構成されている。
【００３３】
このように構成することで、実質的に、所定の３本の横引き部４２ｙに被嵌する位置決め部５１の一対の規制壁５１ｓによって五徳０４と補助五徳０５との水平方向の位置決めが行えることになり、４本以上の横引き部４２ｙに被嵌する位置決め部５１の一対の規制壁５１ｓ全てによって４本以上の横引き部４２ｙを挟み込んで、水平方向に位置決めされる場合と比較して、五徳０４と補助五徳０５との位置決めを容易に行うことが可能となる。
【００３４】
また、本実施形態においては、補助五徳０５の位置決め部５１を五徳爪４２の横引き部４２ｙに被嵌した状態で、横引き部４２ｙが補助五徳０５の上方から視認可能に構成してある。（図５参照。）
【００３５】
補助五徳０５の位置決め部５１を五徳爪４２の横引き部４２ｙに被嵌した状態で、横引き部４２ｙが補助五徳０５の上方から視認可能となるように構成することとで、補助五徳０５の位置決め部５１を五徳爪４２の横引き部４２ｙに被嵌することを適正に、しかも、容易に行えるものとなっている。
【００３６】
なお、補助五徳０５は、耐熱ホーローによってコーティングされており、良好な外観を有する。
【００３７】
なお、発明は、上記実施形態に限定されるものではなく、本発明の範囲内において種々の変形を加えることが可能である。
【符号の説明】
【００３８】
０１    トッププレート
１１    コンロバーナ
０４    五徳
４１    五徳枠
４２    五徳爪
４２ｋ    基端部
４２ｔ    立ち上がり部
４２ｙ    横引き部
０５    補助五徳
５１    位置決め部
５１ｓ  側壁
０６    補助載置部
６１    挿通孔
Ｌ１    離間距離
【図１】
2020122618.tif 000003
【図２】
2020122618.tif 000004
【図３】
2020122618.tif 000005
【図４】
2020122618.tif 000006
【図５】
2020122618.tif 000007